(57)【要約】      （修正有）【課題】施工性が良好で、止水性も優れたパネル構造体を提供する。【解決手段】上方立１ａと、下方立１ｂと、右無目２ａと、左無目２ｂと、外止水部材３と、内止水部材４と、パネルとを備え、上方立１ａと下方立１ｂと右無目２ａと左無目２ｂは、パネルを受けるビード６ａ，６ｂと排水経路７ａ，７ｂ，８ａ，８ｂを長手方向に沿って有し、外止水部材３は、上方立１ａと下方立１ｂと右無目２ａと左無目２ｂの端部を隙間なく連結するものであり、方立１ａ，１ｂと無目２ａ，２ｂのビード６ａ，６ｂを連続させるとともに方立１ａ，１ｂと無目２ａ，２ｂの排水経路７ａ，７ｂを連続させており、内止水部材４は、方立１ａ、１ｂと無目２ａ、２ｂの端部を隙間なく連結するものであり、上方立１ａの排水経路８ａと下方立１ｂの排水経路８ａを連続させるとともに方立１ａ，１ｂと無目２ａ，２ｂとの内外方向の重なり部に挟み込まれる部分９を有する。【選択図】図１
2019078007.tif 000002
【特許請求の範囲】
【請求項１】
上方立と、下方立と、右無目と、左無目と、上方立と下方立と右無目と左無目の端部同士のジョイント部の外側に配置した外止水部材と、上方立と下方立と右無目と左無目の端部同士のジョイント部の内側に配置した内止水部材と、パネルとを備え、上方立と下方立と右無目と左無目は、パネルを受けるビードと排水経路を長手方向に沿って有し、外止水部材は、上方立と下方立と右無目と左無目の端部を隙間なく連結するものであり、方立と無目のビードを連続させるとともに上下の方立と無目の排水経路を連続させており、内止水部材は、上方立と下方立と右無目と左無目の端部を隙間なく連結するものであり、上方立の排水経路と下方立の排水経路を連続させるとともに上下の方立と左右の無目との内外方向の重なり部に挟み込まれる部分を有することを特徴とするパネル構造体。
【発明の詳細な説明】
【技術分野】
【０００１】
本発明は、建物の屋根や外壁等に用いられるパネル構造体に関する。
【背景技術】
【０００２】
従来、建物の屋根や外壁を構成するトップライトやカーテンウォール等のパネル構造体は、方立と無目とのジョイント部を湿式のシール材でシールしている（例えば、特許文献１参照。）。湿式のシール材は、建築現場で充填する必要があるとともに、シール材の充填箇所にあらかじめシール受けを設けておく必要があり、養成期間が必要であるなど施工性が悪かった。
【先行技術文献】
【特許文献】
【０００３】
【特許文献１】特開２０１７−２５５９１号公報
【発明の概要】
【発明が解決しようとする課題】
【０００４】
本発明は以上に述べた実情に鑑み、施工性が良好で、止水性も優れたパネル構造体の提供を目的とする。
【課題を解決するための手段】
【０００５】
上記の課題を達成するために請求項１記載の発明によるパネル構造体は、上方立と、下方立と、右無目と、左無目と、上方立と下方立と右無目と左無目の端部同士のジョイント部の外側に配置した外止水部材と、上方立と下方立と右無目と左無目の端部同士のジョイント部の内側に配置した内止水部材と、パネルとを備え、上方立と下方立と右無目と左無目は、パネルを受けるビードと排水経路を長手方向に沿って有し、外止水部材は、上方立と下方立と右無目と左無目の端部を隙間なく連結するものであり、方立と無目のビードを連続させるとともに上下の方立と無目の排水経路を連続させており、内止水部材は、上方立と下方立と右無目と左無目の端部を隙間なく連結するものであり、上方立の排水経路と下方立の排水経路を連続させるとともに上下の方立と左右の無目との内外方向の重なり部に挟み込まれる部分を有することを特徴とする。
【発明の効果】
【０００６】
請求項１記載の発明によるパネル構造体は、上方立と下方立と右無目と左無目の端部同士のジョイント部の外側に外止水部材を、内側に内止水部材を配置し、外止水部材と内止水部材がそれぞれ上方立と下方立と右無目と左無目の端部を隙間なく連結するようにしたので、ジョイント部を湿式のシール材でシールする場合と比較して施工性が大きく向上し、また、外止水部材と内止水部材で二重に止水するため、止水性も優れる。さらに外止水部材は、方立と無目のビードを連続させるとともに上下の方立と無目の排水経路を連続させているので、外止水部材により気密性を確保できると共に、雨水を方立と無目の排水経路を通じて水上側から水下側にスムーズに排水できる。内止水部材は、上方立の排水経路と下方立の排水経路を連続させるとともに上下の方立と左右の無目との内外方向の重なり部に挟み込まれる部分を有するので、排水性を確保しながら重なり部からの漏水を防ぐことができる。
【図面の簡単な説明】
【０００７】
【図１】（ａ）は方立と無目とのジョイント部の斜視図であり、（ｂ）はＡ−Ａ位置で切断した斜視図である。
【図２】方立と無目とのジョイント部を外側から見た平面図である。
【図３】図２のＢ−Ｂ断面図である。
【図４】図２のＣ−Ｃ断面図である。
【図５】図３のＤ−Ｄ断面図である。
【図６】（ａ）は本発明のパネル構造体の一実施形態に係るトップライトの平面図であり、（ｂ）はＥ−Ｅ断面図である。
【図７】図６のＸ部拡大図である。
【図８】図７のＦ−Ｆ断面図である。
【図９】図７のＧ−Ｇ断面図である。
【図１０−１】方立と無目とのジョイント部の施工手順を示す斜視図であって、一方の方立に内止水部材を取付け、内止水部材を介して上下の方立を連結する状態を示す。
【図１０−２】方立と無目とのジョイント部の施工手順を示す斜視図であって、上下の方立を内止水部材で連結した後、左右の無目を取付ける状態を示す。
【図１０−３】方立と無目とのジョイント部の施工手順を示す斜視図であって、外止水部材を取付けるときの状態を示す。
【図１０−４】方立と無目とのジョイント部の施工手順を示す斜視図であって、完成状態を示す。
【発明を実施するための形態】
【０００８】
以下、本発明の実施の形態を図面に基づいて説明する。図６〜９は、本発明のパネル構造体の一実施形態であって、アトリウム等の建物の屋根部分を構成するトップライトに適用した例を示している。本パネル構造体は、図６に示すように、方立１，１，…と無目２，２，…を格子状に組み、方立１と無目２とで形成される各開口部にガラス５を取付けてあり、屋根全体から採光できるようにしたものである。方立１は、図６（ｂ）に示すように、水上側から水下側に向かって下向きに傾斜し、ファスナ１０により建物の躯体１１に固定されている。
【０００９】
方立１は、図８に示すように、上面の左右両側にガラス５の下面を受けるビード６ａ，６ａが長手方向に沿って設けてあり、上面の中央部に矩形断面の突部１２ａが長手方向に沿って設けてあり、ビード６ａ，６ａと突部１２ａの間に外排水経路７ａ，７ａが長手方向に沿って設けてある。突部１２ａの側面とガラス５の端面との間の隙間にはシール材１３を充填してある。突部１２ａの上面には縦押縁１４ａが長手方向に沿って設けてあり、ガラス５の上面と縦押縁１４ａとの間にシール材１５が充填してある。また方立１は、左右両側の下部に内排水経路８ａ，８ａを有している。
【００１０】
無目２は、図９に示すように、上面の左右両側にガラス５の下面を受けるビード６ｂ，６ｂが長手方向に沿って設けてあり、上面の中央部に矩形断面の突部１２ｂが長手方向に沿って設けてあり、ビード６ｂ，６ｂと突部１２ｂの間に外排水経路７ｂ，７ｂが長手方向に沿って設けてある。突部１２ｂの側面とガラス５の端面との間の隙間にはシール材１３を充填してある。突部１２ｂの上面には横押縁１４ｂが長手方向に沿って設けてあり、ガラス５の上面と横押縁１４ｂとの間にシール材１５が充填してある。図８に示すように、横押縁１４ｂの長手方向端部と縦押縁１４ａとの間には隙間１６が設けてあり、ガラス５上に落ちた雨水は、図７中に矢印１７で示すように、この隙間１６を通じて水上側から水下側に流れる。また、図９に示すように、横押縁１４ｂとガラス５との間の水上側のシール材１５が水上側に向かって斜めに伸ばしてあり、これにより図７中に矢印３４で示すように、横押縁１４ｂ上を跨ぐ方向でも雨水が流れる。
さらに無目２は、図９に示すように、左右両側の側面に内排水経路８ｂ，８ｂを有している。無目２の内排水経路８ｂ，８ｂは、図８，９に示すように、方立１の内排水経路８ａ，８ａよりも高い位置（外側）に位置しており、無目２の内排水経路８ｂ，８ｂの長手方向端部が方立１の内排水経路８ａ，８ａの側壁１８の外側に重なっている。
本パネル構造体は、万一方立１や無目２に雨水が浸入したとしても、方立１に形成された外排水経路７ａ及び内排水経路８ａと、無目２に形成された外排水経路７ｂ及び内排水経路８ｂを通じて、水上側から水下側へと排水される。
【００１１】
方立１は、図９に示すように、無目２の水上側と水下側で上方立１ａと下方立１ｂに分割されている。無目２は、図８に示すように、方立１の左側と右側で右無目２ａと左無目２ｂに分割されている。上方立１ａと下方立１ｂと右無目２ａと左無目２ｂとは、端部同士をアングル状の金具１９とボルト・ナット２０を用いて連結してある。上方立１ａと下方立１ｂと右無目２ａと左無目２ｂの端部同士のジョイント部の外側と内側には、ゴム質の定形シール材である外止水部材３と内止水部材４がそれぞれ配置してあり、外止水部材３と内止水部材４がそれぞれ上方立１ａと下方立１ｂと右無目２ａと左無目２ｂの端部を隙間なく連結している。
【００１２】
外止水部材３は、図１（ａ）と図２，３に示すように、上方立１ａの小口と下方立１ｂの小口との間の隙間を塞ぐ方立間隙間塞ぎ部２１と、右無目２ａの小口と上下方立１ａ，１ｂの側面間の隙間及び左無目２ｂの小口と上下方立１ａ，１ｂの側面間の隙間を塞ぐ方立・無目間隙間塞ぎ部２２を一体に有している。方立間隙間塞ぎ部２１と方立・無目間隙間塞ぎ部２２の上面は、方立１ａ，１ｂ及び無目２ａ，２ｂの上面（外排水経路７ａ，７ｂの底面）と同面となっている。さらに外止水部材３は、一端部が上方立１ａのビード６ａの側面に突き当てられ他端部が左右の無目２ａ，２ｂの水上側のビード６ｂの端面に突き当てられる水上側ビード接続部２３ａと、一端部が下方立１ｂのビード６ａの端面に突き当てられ他端部が左右の無目２ａ，２ｂの水下側のビード６ｂの端面に突き当てられる水下側ビード接続部２３ｂを有している。このような外止水部材３を上方立１ａと下方立１ｂと右無目２ａと左無目２ｂの端部同士のジョイント部の外側に配置することで、方立１ａ，１ｂと無目２ａ，２ｂのビード６ａ，６ｂを連続させるとともに上下の方立１ａ，１ｂと無目２ａ，２ｂの外排水経路７ａ，７ｂを連続させており、図１，２中の矢印２４，２５に示すように、上方立１ａの外排水経路７ａを流下した雨水と、左右の無目２ａ，２ｂの外排水経路７ｂからの雨水が、下方立１ｂの外排水経路７ａへと導かれる。
【００１３】
内止水部材４は、図１（ｂ）と図３〜５に示すように、上方立１ａの小口と下方立１ｂの小口間に挟み込まれる方立間隙間塞ぎ部２６と、上方立１ａの内排水経路８ａと下方立１ｂの内排水経路８ａとを連続させる方立間排水経路接続部２７と、左右の無目２ａ，２ｂの長手方向端部と上下の方立１ａ，１ｂの側部（内排水経路８ａ）とが内外方向に重なる重なり部に挟み込まれる挟まり部９とを一体に有している。方立間隙間塞ぎ部２６は、図３，４に示すように、上面が方立１ａ，１ｂの下壁２８の上面と同面になっており、上面に左右方向に排水溝２９が形成してある。さらに内止水部材４は、図１０−１に示すように、上方立１ａの小口と下方立１ｂの小口がそれぞれ嵌合する嵌合溝３０を有している。
このような内止水部材４を上方立１ａと下方立１ｂと右無目２ａと左無目２ｂの端部同士のジョイント部の内側に配置することで、上方立１ａの内排水経路８ａと下方立１ｂの内排水経路８ａとが連続すると共に、左右の無目２ａ，２ｂの内排水経路８ｂの端部が上下の方立１ａ，１ｂの内排水経路８ａと接続され、図５中の矢印３１，３２に示すように、上方立１ａの内排水経路８ａを流下した雨水と、左右の無目２ａ，２ｂの内排水経路８ｂからの雨水が、下方立１ｂの内排水経路８ａへと導かれる。さらに、内止水部材４の方立間隙間塞ぎ部２６の上面に排水溝２９が形成してあることで、図１と図５中の矢印３３に示すように、上方立１ａの内部を通ってきた水が排水溝２９を通じて下方立１ｂの内排水経路８ａへと導かれる。
【００１４】
次に、本パネル構造体の施工手順を説明する。まず、図１０−１に示すように、上下何れか一方の方立１ａ（図では上方立１ａ）の端部に内止水部材４を取付けてから、他方の方立１ｂの端部を一方側（水上側）に押し付けて、上方立１ａと下方立１ｂの端部同士を内止水部材４で連結し、その後、方立１ａ，１ｂをファスナ１０で躯体１１に固定する。次に、図１０−２に示すように、左右の無目２ａ，２ｂの端部を内止水部材４の挟まり部９の外側に載せる形で配置し、上方立１ａと下方立１ｂと右無目２ａと左無目２ｂの端部同士を金具１９とボルト・ナット２０で固定する。次に、図１０−３に示すように、上方立１ａと下方立１ｂと右無目２ａと左無目２ｂの端部間の隙間に外側（上方）から外止水部材３を嵌め込んで取付ける。図１０−４は、外止水部材３を取付けた後の状態を示している。その後、ガラス５を取付けてガラス５の周囲にシール材１３を充填する。その後、押縁１４ａ，１４ｂを取付け、ガラス５表面と押縁１４ａ，１４ｂの間にシール材１５を充填する。
【００１５】
以上に述べたように本パネル構造体は、上方立１ａと下方立１ｂと右無目２ａと左無目２ｂの端部同士のジョイント部の外側に外止水部材３を、内側に内止水部材４を配置し、外止水部材３と内止水部材４がそれぞれ上方立１ａと下方立１ｂと右無目２ａと左無目２ｂの端部を隙間なく連結するようにしたので、ジョイント部を湿式のシール材でシールする場合と比較して施工性が大きく向上し、また、外止水部材３と内止水部材４で二重に止水するため、止水性も優れる。さらに外止水部材３は、方立１ａ，１ｂと無目２ａ，２ｂのビード６ａ，６ｂを連続させるとともに上下の方立１ａ，１ｂと無目２ａ，２ｂの排水経路（外排水経路７ａ，７ｂ）を連続させているので、外止水部材３により気密性を確保できると共に、雨水を方立１ａ，１ｂと無目２ａ，２ｂの排水経路（外排水経路７ａ，７ｂ）を通じて水上側から水下側にスムーズに排水できる。内止水部材４は、上方立１ａの排水経路（内排水経路８ａ）と下方立１ｂの排水経路（内排水経路８ａ）を連続させるとともに上下の方立１ａ，１ｂと左右の無目２ａ，２ｂとの内外方向の重なり部に挟み込まれる部分（挟まり部９）を有するので、排水性を確保しながら重なり部からの漏水を防ぐことができる。
さらに本パネル構造体は、内止水部材４に、上方立１ａの内部を通ってきた雨水を下方立１ｂの排水経路（内排水経路８ａ）へと導く排水溝２９を有しているので、方立１ａ，１ｂの内部に雨水が入っても方立１ａ，１ｂの排水経路（内排水経路８ａ）にすぐに排水できる。
【００１６】
本発明は以上に述べた実施形態に限定されない。外止水部材と内止水部材の形状や材質は、適宜変更することができる。方立と無目の配置や形状についても、適宜変更することができる。パネルは、ガラスに限らず樹脂パネル等であってもよい。本発明は、トップライトに限らず、建物の外壁を成すカーテンウォール等に適用することもできる。
【符号の説明】
【００１７】
１ａ  上方立
１ｂ  下方立
２ａ  右無目
２ｂ  左無目
３  外止水部材
４  内止水部材
５  ガラス（パネル）
６ａ，６ｂ  ビード
７ａ，７ｂ  外排水経路（排水経路）
８ａ，８ｂ  内排水経路（排水経路）
９  挟まり部（方立と無目の重なり部に挟み込まれる部分）
【図１】
2019078007.tif 000003
【図２】
2019078007.tif 000004
【図３】
2019078007.tif 000005
【図４】
2019078007.tif 000006
【図５】
2019078007.tif 000007
【図６】
2019078007.tif 000008
【図７】
2019078007.tif 000009
【図８】
2019078007.tif 000010
【図９】
2019078007.tif 000011
【図１０−１】
2019078007.tif 000012
【図１０−２】
2019078007.tif 000013
【図１０−３】
2019078007.tif 000014
【図１０−４】
2019078007.tif 000015